(57)【要約】      （修正有）【課題】被加圧物をより１５ＧＰａ以上の高圧でも加圧することができ、しかも、中性子線による高圧場の観察実験にも適用することができる超高圧発生装置かかる超高圧発生装置に使用される被加圧物収容部材を提供する。【解決手段】第１アンビル群と、第１アンビル群のアンビルによって囲まれた加圧空間に配置される第２アンビル群５０と、第１アンビル群のアンビルを移動させる移動手段２０とを備えており、第２アンビル群５０が、第２アンビル群５０を形成した状態において、上下のアンビル群に囲まれた被加圧物Ｍを収容する収容空間が形成され、第２アンビル群５０を加圧空間内に配置した状態において、第１アンビル群１０のアンビルが加圧空間の中心に向けて移動したときに、第２アンビル５５内にそれぞれ擬静水圧力場が形成されるように形成されている。【選択図】図１
2006281289.tif 000002
【特許請求の範囲】
【請求項１】
上下一対のアンビルと、該上下一対のアンビルの互いに対向する面間に形成される空間を側方から囲むように配置された複数の側方アンビルとからなる第１アンビル群と、
該第１アンビル群のアンビルによって囲まれた加圧空間に配置される、複数の第２アンビルから形成された第２アンビル群と、
前記第１アンビル群のアンビルを前記加圧空間の中心に向けて移動させる移動手段とを備えており、
前記第１アンビル群における側方アンビルは、前記加圧空間側の面が前記第２アンビル群の側面と面接触する形状に形成されており、
前記第２アンビル群が、
前記第１アンビル群における上方のアンビルに接するように配設される上アンビル群と、
前記第１アンビル群における下方のアンビルに接するように配設される下アンビル群とからなり、
各第２アンビルが、
前記第２アンビル群を形成した状態において、前記上下のアンビル群に囲まれた被加圧物を収容する収容空間が形成され、
前記第２アンビル群を前記加圧空間内に配置した状態において、前記第１アンビル群のアンビルが前記加圧空間の中心に向けて移動したときに、前記第１アンビル群における複数の側方アンビルのうち１つの側方アンビルとのみそれぞれ接触し、かつ、各第２アンビル内にそれぞれ擬静水圧力場が形成されるように形成されている
ことを特徴とする超高圧発生装置。
【請求項２】
前記第２アンビル群は、前記第１アンビル群における側方アンビルと接触する側面が略円筒状の曲面となるように形成されている、
ことを特徴とする請求項１記載の超高圧発生装置。
【請求項３】
上下一対のアンビルと、該上下一対のアンビルの互いに対向する面間に形成される空間を側方から囲むように配置された複数の側方アンビルとからなる複数の第１アンビルを備え、該複数の第１アンビルによって該複数の第１アンビルの先端面に囲まれた加圧空間内を加圧する超高圧発生装置において、内部に被加圧物を収容した状態で前記加圧空間内に配置される被加圧物収容部材であって、
該被加圧物収容部材が、
同一の形状を有する８個の加圧用アンビルを組み合わせて、略円筒状に形成された部材であり、
各加圧用アンビルが、
互いに平行な上面および下面と、
該上面および下面と直交し、かつ、互いに直交する２つの内側面と、
該２つの内側面、および、上面または下面のいずれか一方と交差し、かつ、正三角形状に形成された加圧面と、
該上面および下面の間に設けられた、前記２つの内側面を連結する外側面とを備えており、
各加圧用アンビルの外側面は、
８個の加圧用アンビルを組み合わせて前記被加圧物収容部材を形成したときに、該被加圧物収容部材における略円筒状の側面となるように形成されている
ことを特徴とする被加圧物収容部材。
【発明の詳細な説明】
【技術分野】
【０００１】
本発明は、超高圧発生装置に関する。超高圧発生装置は、先端面間に被加圧物を配置する加圧空間が形成される複数のアンビルと、各アンビルをその加圧空間の中心に向けて移動させる移動手段を備えている。このため、この移動手段によって複数のアンビルを移動させれば、空間内に超高圧を発生させることができ、加圧空間に配置された被加圧物を加圧することができるから、ダイヤモンドの合成や物質の超高圧下での現象を解明する等の用途に用いられる。
本発明は、かかる複数のアンビルを備え、超高圧を発生させることができる超高圧発生装置および被加圧物を収容した状態で超高圧発生装置により加圧される被加圧物収容部材に関する。
【背景技術】
【０００２】
従来から使用されているＤＩＡ型のガイドブロックを使用した超高圧発生装置には、上下のガイドブロック、下ガイドブロックの中央に固定されたアンビル（下アンビル）、上ガイドブロックの中央に固定されたアンビル（上アンビル）、上下のガイドブロックに設けられた各４つの斜面によりガイドブロックの中央方向に駆動される４個のスライディングブロック、及びそのスライディングブロックの斜面と反対の面に固定された４個の側方アンビルが設けられている。このため、加圧対象を上下のアンビルおよび４個の側方アンビルに囲まれた加圧空間に配置した状態で上下のガイドブロックを接近させれば、上下のアンビルが接近するとともに、上下のガイドブロックの斜面により４つのスライディングブロックが互いに接近するように移動し、４つの側方アンビルも互いに接近するから、加圧対象を６つのアンビルによって加圧することができる（例えば、特許文献１、２）。
【０００３】
ところで、ＤＩＡ型のガイドブロックを使用した超高圧発生装置の場合、加圧空間に合成される物質等（以下、被加圧物Ｍという）をそのまま配置し、前記６個のアンビル（以下、１段目アンビルという）によって直接加圧する場合もあるが、一般的には、被加圧物Ｍを複数のアンビルから形成されたアンビル群（以下、２段目アンビル群という）内に収容し、この２段目アンビル群を介して加圧することが行われている。
図８（Ｂ）は、２段目アンビル群を構成する、立方体形状に形成された２段目アンビル110を示している。この２段目アンビル110は、立方体における１つの角がカットされその部分に正三角形状の断面（以下、カット面100aという）が形成された形状を有しており、２段目アンビル群は、８個の２段目アンビル110を、隣接する２段目アンビル110同士の合せ面に軟物質Ｓを挟んだ状態で、前記カット面100aが中心に位置するように組み立てられる。すると、組み立てられた２段目アンビル群の中心には、カット面100aによって囲まれた正８面体の空間が形成される。
このため、正８面体の空間内に被加圧物Ｍを配置し装置を作動させれば、加圧空間の体積の相似的な減少にともなって１段目アンビル100によって２段目アンビル群の６面が加圧され、正８面体の空間もその体積が相似的に減少するから、正８面体の空間内に配置された被加圧物Ｍも加圧されるのである（図８（Ａ））。
【０００４】
ここで、２段目アンビル群は１段目アンビル100によってその６面が加圧されているため、２段目アンビル群を構成する各２段目アンビル110には、カット面100aに対して外側に位置する互いに垂直な３面100b〜100dに対して１段目アンビル100から加圧力が加わることになる。すると、各２段目アンビル110の内部には擬静水圧力場が形成されるから、各２段目アンビル110は、単純圧縮応力が加わる状態に比べ、非常に大きな圧縮応力に耐えることができる。
しかも、超高圧力が作用する正三角形のカット面100aは、末広がりの形状となっている（マッシブサポート）ため、正８面体の空間に超高圧が発生してもその圧力に耐えることができる。
したがって、上記のごとき形状の２段目アンビル110を組み合わせて形成された２段目アンビル群を使用すれば、２段目アンビル群を使用しない場合に比べて、被加圧物Ｍをより高圧力、例えば、１５Ｇｐａ以上の高圧に加圧することができるのである。
【０００５】
ところで、近年、中性子線を高圧発生部に照射し、その場の観察を実施する実験が行われているが、現状行われている実験では、高圧発生部に発生させることができる圧力が小さく（１０ＧＰａ程度）、更なる高圧化（１５Ｇｐａ以上の高圧）が望まれており、中性子線による高圧場の観察に、上記のごとき２段目アンビル群を使用することが期待されている。
【０００６】
中性子線による高圧場の観察は、高圧発生部に照射した中性子線の回折線を検出し、その状態を判断することによって行われるが、この観察を行うには、中性子線を高圧場に入射するための隙間と、入射ビームに対して９０°の面、つまり、入射方向から９０°の方向に中性子線の回折線が放出される隙間を確保しておく必要がある。言い換えれば、入射ビームと回折線の走行する方向には、アンビルなど中性子線のパスに対し障害となるような比重の大きな物体が存在しない空間を設けなければならない。
【０００７】
しかるに、２段目アンビル群を上記のごとき形状とした場合、６つの１段目アンビル100によって２段目アンビル群の６面をそれぞれ加圧することとなるため、２段目アンビル群において隣接する２段目アンビル110間に形成される隙間は、１段目アンビル100と対向する位置に形成されることとなる。すると、中性子線を正８面体の空間に入射するには、１段目アンビル100か２段目アンビル110のいずれかを通過させなければならず、また、９０°回折した回折線も１段目アンビル100か２段目アンビル110のいずれかを通過したものしか検出することができない。つまり、上記のごとき形状を有する２段目アンビル群では、超高圧を発生させることができても、中性子線による高圧場観察に必要なジオメトリーが確保できない。
【０００８】
【特許文献１】特開２００３−３３６４１号
【特許文献２】特開２００３−１４４９０１号
【発明の開示】
【発明が解決しようとする課題】
【０００９】
本発明は上記事情に鑑み、被加圧物をより１５Ｇｐａ以上の高圧でも加圧することができ、しかも、中性子線による高圧場の観察実験にも適用することができる超高圧発生装置かかる超高圧発生装置に使用される被加圧物収容部材を提供することを目的とする。
【課題を解決するための手段】
【００１０】
第１発明の超高圧発生装置は、上下一対のアンビルと、該上下一対のアンビルの互いに対向する面間に形成される空間を側方から囲むように配置された複数の側方アンビルとからなる第１アンビル群と、該第１アンビル群のアンビルによって囲まれた加圧空間に配置される、複数の第２アンビルから形成された第２アンビル群と、前記第１アンビル群のアンビルを前記加圧空間の中心に向けて移動させる移動手段とを備えており、前記第１アンビル群における側方アンビルは、前記加圧空間側の面が前記第２アンビル群の側面と面接触する形状に形成されており、前記第２アンビル群が、前記第１アンビル群における上方のアンビルに接するように配設される第２アンビルからなる上アンビル群と、前記第１アンビル群における下方のアンビルに接するように配設される第２アンビルからなる下アンビル群とからなり、各第２アンビルが、前記第２アンビル群を形成した状態において、前記上下のアンビル群に囲まれた被加圧物を収容する収容空間が形成され、前記第２アンビル群を前記加圧空間内に配置した状態において、前記第１アンビル群のアンビルが前記加圧空間の中心に向けて移動したときに、前記第１アンビル群における複数の側方アンビルのうち１つの側方アンビルとのみそれぞれ接触し、かつ、各第２アンビル内にそれぞれ擬静水圧力場が形成されるように形成されていることを特徴とする。
第２発明の超高圧発生装置は、第１発明において、前記第２アンビル群は、前記第１アンビル群における側方アンビルと接触する側面が略円筒状の曲面となるように形成されていることを特徴とする。
第３発明の被加圧物収容部材は、上下一対のアンビルと、該上下一対のアンビルの互いに対向する面間に形成される空間を側方から囲むように配置された複数の側方アンビルとからなる複数の第１アンビルを備え、該複数の第１アンビルによって該複数の第１アンビルの先端面に形成された加圧空間内を加圧する超高圧発生装置において、内部に被加圧物を収容した状態で前記加圧空間内に配置される被加圧物収容部材であって、該被加圧物収容部材が、同一の形状を有する８個の加圧用アンビルを組み合わせて、略円筒状に形成された部材であり、各加圧用アンビルが、互いに平行な上面および下面と、該上面および下面と直交し、かつ、互いに直交する２つの内側面と、該２つの内側面、および、上面または下面のいずれか一方と交差し、かつ、正三角形状に形成された加圧面と、該上面および下面の間に設けられた、前記２つの内側面を連結する外側面とを備えており、各加圧用アンビルの外側面は、８個の加圧用アンビルを組み合わせて前記被加圧物収容部材を形成したときに、該被加圧物収容部材の円筒状の側面となるように形成されていることを特徴とする。
【発明の効果】
【００１１】
第１発明によれば、第１アンビル群によって第２アンビル群が加圧されたときに、第２アンビル内にそれぞれ擬静水圧力場が形成されるから、被加圧物を１５Ｇｐａ以上の高圧に加圧することができる。しかも、各第２アンビルは、複数の側方アンビルのうち、いずれか１つの側方アンビルとしか接触しないから、隣接する側方アンビル同士の間に存在するすべての隙間と加圧区間との間には、必ず隣接する第２アンビル同士の間に形成される隙間が配置される。したがって、隣接する側方アンビル同士の間の隙間が９０°の角度となるように配置されていれば、中性子線を高圧場、つまり、加圧空間に入射するための隙間と、入射方向から９０°の方向に中性子線の回折線が放出される隙間を確保しておくことができるので、１５Ｇｐａ以上の高圧場を、中性子線を利用して観察することができる。
第２発明によれば、第２アンビル群の側面が応力集中により損傷することを防ぐことができる。
第３発明によれば、第１アンビル群によって第２アンビル群が加圧されたときに、加圧用アンビル内にそれぞれ擬静水圧力場が形成されるから、被加圧物を１５Ｇｐａ以上の高圧に加圧することができる。加圧用アンビルの背面によって形成される被加圧物収容部材の側面が円筒状であるから、被加圧物収容部材が応力集中により損傷することを防ぐことができる。
【発明を実施するための最良の形態】
【００１２】
つぎに、本発明の実施形態を図面に基づき説明する。
図２は超高圧発生装置の説明図であって、（Ａ）は正面図であり、（Ｂ）は（Ａ）のＢ−Ｂ線矢視図である。図２において符号２は本実施形態の超高圧発生装置１のフレームを示している。このフレーム２には、その中心部に中空な空間２ｈが設けられており、この空間２ｈ内に第１アンビル群１０を構成する６個の第１アンビル、つまり、上下アンビル１１，１２および４個の側方アンビル１３が配置されている。各第１アンビルは、空間２ｈの中心を基準として上下、左右、前後に配置されている（図２（Ａ）、（Ｂ））。
【００１３】
図１は（Ａ）は本実施形態の超高圧発生装置における第２アンビル群５０の拡大概略説明図であり、（Ｂ）本実施形態の超高圧発生装置において第２アンビル群５０を加圧する前の状態における加圧空間10hの拡大概略説明図である。図１および図２に示すように、６個の第１アンビルの先端面に囲まれた部分には、第２アンビル群５０が配置される加圧空間10hが形成されている。そして、各第１アンビルの加圧空間10h側の面は、第２アンビル群５０を加圧したときに、前記第２アンビル群５０と面接触し、かつ、第２アンビル群５０との間に隙間ができないような形状に形成されているが（図（Ａ））、その理由は後述する。
なお、第２アンビル群５０は、複数の第２アンビル５５から構成され、その内部に実際に加圧すべき被加圧物Ｍを収容する収容空間50hを有するものであるが、詳細は後述する。
【００１４】
図１および図２に示すように、６つの第１アンビルは、その基端にそれぞれ移動手段２０が連結されている。移動手段２０は互いに独立して作動させることができるものであり、隣接する第１アンビル同士が互いに直交する方向に移動させることができるように配置されている。具体的には、加圧空間10hの上下に位置する上下アンビル１１，１２の移動方向は、左右および前後に位置する側方アンビル１３の移動方向と直交し、かつ、左右に位置する側方アンビル１３の移動方向は、前後に位置する側方アンビル１３の移動方向と直交するように移動手段２０は配置されているのである。
【００１５】
このため、加圧空間10h内に第２アンビル群５０を配置した状態で全ての移動手段２０を作動させて、加圧空間10hの体積が相似的に減少するように第１アンビルを移動させれば、第１アンビルによって第２アンビル群５０が加圧され、この第２アンビル群５０の第２アンビル５５を介して、収容空間50h内に収容されている被加圧物Ｍを加圧することができる。
【００１６】
つぎに、第２アンビル群５０を詳細に説明する。
図３は第２アンビル群５０の説明図であって、（Ａ）は上アンビル群５１と下アンビル群５２が分離している状態の説明図であり、（Ｂ）は上下アンビル群５１，５２が接触した状態の説明図である。
図３に示すように、第２アンビル群５０は、上下対称な形状に形成された上アンビル群５１と下アンビル群５２とを組み合わせて形成されたものであり、上アンビル群５１および下アンビル群５２は、それぞれ実質同一の形状に形成された４個の第２アンビル５５を組み合わせて形成されたものである。つまり、第２アンビル群５０は、実質同一の形状に形成された８個の第２アンビル５５を組み合わせて形成されたものである。
【００１７】
図４は第２アンビル５５の単体図であって、（Ａ）は斜視図であり、（Ｂ）は平面図であり、（Ｃ）は側面図である。図４に示すように、第２アンビル５５は、互いに平行な上面55aおよび下面55bと、上面55aおよび下面55bの両方に直交しかつ互いに直交する２つの内側面55cと、上面55aおよび下面55bの両方に直交しかつ２つの内側面55cを連結する外側面55dとを備えており、外側面55dは、２つの内側面55cの交線ｌを中心軸とする略円筒状の曲面に形成されている。
しかも、第２アンビル５５は、上面55aおよび２つの内側面55cによって形成される角が上面55aおよび２つの内側面55cと交差する面で切り落とされた形状に形成されており、その切り落とされた部分に加圧面55eが形成されている。この加圧面55eは、当然のごとく上面55aおよび２つの内側面55cと交差しており、加圧面55eと上面55aおよび２つの内側面55cによって形成される３つの辺がすべて同じ長さとなるように形成されている。つまり、加圧面55eは、正三角形状に形成されているのである。
【００１８】
このため、図３（Ａ）に示すように、第２アンビル５５を、その上面55aを上にした状態で隣接する第２アンビル５５の内側面55c同士が対向するように並べれば、その上面に４つの加圧面55eによって形成された四角錘状の窪みを有する円筒、つまり、下アンビル群５２が形成されるのである。
逆に、第２アンビル５５を、その上面55aを下にした状態で隣接する第２アンビル５５の内側面55c同士が対向するように並べれば、その下面に４つの加圧面55eによって形成された四角錘状の窪みを有する円筒、つまり、上アンビル群５１が形成されるのである。
そして、上下のアンビル群５１，５２を、対応する位置における第２アンビル５５の上面55a同士が完全に重なるように重ねれば、中心に正８面体状の空間、つまり、上述した収容空間50hを有する円筒である第２アンビル群５０を形成することができるのである（図３（Ｂ））。
上記の第２アンビル群５０が特許請求の範囲にいう被加圧物収容部材であり、第２アンビル５５が特許請求の範囲にいう加圧用アンビルである。
【００１９】
そして、かかる第２アンビル群５０を使用して被加圧物Ｍを加圧する場合には、隣接する第２アンビル５５の内側面55c同士の間、および、上下のアンビル群５１，５２の間に、ファイル紙やエポキシプレート等の軟質物Ｓを挟み、かつ、収容空間50h内に被加圧物Ｍを収容した状態で第２アンビル群５０が組み立てられる（図１（Ａ）参照）。
なお、軟質物Ｓの厚さ・材質は、被加圧物Ｍの圧縮量、言い換えれば、被加圧物Ｍに加える加圧力に応じて、最適な厚さに調整する。
【００２０】
組み立てられた第２アンビル群５０は、その下面、つまり、下アンビル群５２の下面が第１アンビル群１０における下側の下方アンビル１２上に載せられる。このとき、第２アンビル群５０の各第２アンビル５５は、その外側面55dが、第１アンビル群１０における４つの側方アンビル１３の先端面と対向するように配置される（図１（Ｂ）参照）。
この状態から、全ての移動手段２０を作動させて、加圧空間10hが相似的に小さくなるように全ての第１アンビルを移動させれば、第１アンビル群５０における上下アンビル１１，１２の先端面は、第２アンビル群５０上アンビル群５１の上面および下アンビル群５２の下面にそれぞれ接触し、第１アンビル群５０における側方アンビル１３は、第２アンビル５５の外側面55dに接触する（図１（Ａ）参照）。
さらに移動手段２０を移動させて、加圧空間10hが相似的に小さくなるように全ての第１アンビルを移動させれば、第２アンビル５５に加圧力が加わり、隣接する第２アンビル５５間の軟質物Ｓが圧縮され、隣接する第２アンビル５５間の距離が短くなるように全ての第２アンビル５５が移動する。すると、収容空間50hも相似的に小さくなるから、収容空間50h内の被加圧物Ｍが加圧され、被加圧物Ｍに超高圧を加えて圧縮することができる。
【００２１】
ここで、第１アンビル群１０の各第１アンビルは、その加圧空間10h側の面が、第２アンビル群５０と面接触しかつ第２アンビル群５０との間に隙間ができないような形状に形成されている。つまり、上下アンビル１１，１２の先端面は平坦面に形成され、４つの側方アンビル１３の先端面は、上下アンビル１１，１２の移動方向と平行であって、かつ、外側面55dと同じ曲率半径を有する円筒状の曲面に形成されている。
【００２２】
このため、６つの第１アンビルよって第２アンビル群５０を加圧するときに、収容空間50hが相似的に小さくなるように６つの第１アンビルを移動させれば、全ての第２アンビル５５の内部には、上下、左右、前後方向の応力が等しくなった擬静水圧力場が形成されるから、各第２アンビル５５は、単純圧縮応力が加わる状態に比べ、非常に大きな圧縮応力に耐えることができる。しかも、正８面体空間内の被加圧物Ｍからの反力、つまり、被加圧物Ｍに加わっている圧力と同じ大きさの超高圧力が作用する加圧面55eは、末広がりの形状となっている（マッシブサポート）ため、超高圧が加わってもその圧力に耐えることができる。
したがって、上記のごとき形状の第２アンビル５５を組み合わせて形成された第２アンビル群５０を使用すれば、被加圧物Ｍを１５Ｇｐａ以上の高圧に加圧することができるのである。
なお、収容空間50hが相似的に小さくなるように６つの第１アンビルを移動させるには、上下のアンビル１１，１２が接近する速度に対して、対向する側方アンビル１３の移動速度を√2倍にする必要があるのは、いうまでもない。
【００２３】
図１に示すように、各第２アンビル５５における外側面55dの円弧の長さを、側方アンビル１３における先端面の円弧の長さと同等か、第１アンビルの先端面の円弧の長さよりもわずかに長くなるように形成しておき、各第２アンビル５５の外側面55dがいずれか１つの側方アンビル１３の先端面とのみ接触するように、第２アンビル群５０を加圧空間10hに配置する。すると、隣接する側方アンビル１３同士の間に存在するすべての隙間と第２アンビル群５０の収容空間50hとの間には、必ず隣接する第２アンビル５５の内側面55c同士の間に形成される隙間が配置される。
そして、第２アンビル５５における２つの内側面55cは互いに直交するから、隣接する第２アンビル５５の内側面55c同士の間に形成される隙間も直交するように配置される。
すると、隣接する側方アンビル１３間に形成されている隙間のうち、一の隙間を通して中性子線照射すれば、この中性子線は隣接する第２アンビル５５の内側面55C同士の間の隙間を通って高圧場、つまり、収容空間50h内の被加圧物Ｍに入射される。そして被加圧物Ｍによって回折された回折線を、中性子線が入射された隙間に対して９０°の方向に位置する隙間から通して放出させることができる。
しかも、上記のごとき第２アンビル群５０を使用しており、被加圧物Ｍを１５Ｇｐａ以上に加圧することができるから、１５Ｇｐａ以上の高圧場であっても、中性子線を利用して観察することができる。
【００２４】
なお、図５および図６に示すように、第２アンビル55Bとして、立方体における一つの角を切り落として正三角形状の加圧面55eを形成したものを使用し、この第２アンビル55Bを８個組み合わせて第２アンビル群50Bを形成してもよい。この場合には、第２アンビル55Bの外側面55dが互いに直交する２つの平坦面から形成されるから、図５に示すように、側方アンビル１３の先端を、上下アンビル１１，１２の移動方向と平行であって、かつ、互いに直交する２面を有する形状とすればよい。
しかし、上記のごとく、第２アンビル５５の外側面55dおよび側方アンビル１３の先端が円筒状の曲面となっていれば、両者の接触する部分に応力集中が発生する箇所がないので、第２アンビル５５および側方アンビル１３の耐久性を高くすることができるので、より好適である。
【００２５】
また、超高圧発生装置は、上記のごとく互いに独立して作動させることができる移動手段２０を備えたものでなくてもよく、図７に示すようなＤＩＡ型のガイドブロックを使用した超高圧発生装置でも、上記のごとき第２アンビル群５０を備えていれば、１５Ｇｐａ以上の高圧場を、中性子線を利用して観察することができる。
ただし、この場合にも上下アンビル１１，１２の接近する速度に対して、側方アンビル１３の移動速度を√2倍にしなければならないため、スライディングブロックＳと上下のガイドブロック３，４の斜面３Ａ，４Ａが接触する面の角度θを、側方ブロック１３の移動方向に対して35.26°、言い換えれば、上下のアンビル１１の移動方向に対して54.74°とする必要があるのはいうまでもない。
【図面の簡単な説明】
【００２６】
【図１】（Ａ）は本実施形態の超高圧発生装置における第２アンビル群５０の拡大概略説明図であり、（Ｂ）本実施形態の超高圧発生装置において第２アンビル群５０を加圧前の状態の拡大概略説明図である。
【図２】超高圧発生装置の説明図であって、（Ａ）は正面図であり、（Ｂ）は（Ａ）のＢ−Ｂ線矢視図である。
【図３】第２アンビル群５０の説明図であって、（Ａ）は上アンビル群５１と下アンビル群５２が分離している状態の説明図であり、（Ｂ）は上下アンビル群５１，５２が接触した状態の説明図である。
【図４】第２アンビル５５の単体図であって、（Ａ）は斜視図であり、（Ｂ）は平面図であり、（Ｃ）は側面図である。
【図５】（Ａ）は本実施形態の超高圧発生装置における第２アンビル群５０Ｂの拡大概略説明図である。
【図６】第２アンビル群５０Ｂの説明図であって、（Ａ）は第２アンビル５５Ｂの単体図であり、（Ｂ）は上アンビル群５１Ｂと下アンビル群５２Ｂが分離している状態の説明図であり、（Ｃ）は上下アンビル群５１Ｂ，５２Ｂが接触した状態の説明図である。
【図７】ＤＩＡ型のガイドブロックを使用した超高圧発生装置１Ｂの概略説明図である。
【図８】従来の２段目アンビルの概略説明図である。
【符号の説明】
【００２７】
１          超高圧発生装置
１０          第１アンビル
１０ｈ        加圧空間
２０          移動手段
５０          第２アンビル群
５１          上アンビル群
５２          下アンビル群
５５          第２アンビル
【図１】
2006281289.tif 000003
【図２】
2006281289.tif 000004
【図３】
2006281289.tif 000005
【図４】
2006281289.tif 000006
【図５】
2006281289.tif 000007
【図６】
2006281289.tif 000008
【図７】
2006281289.tif 000009
【図８】
2006281289.tif 000010